(57)【要約】  第１のゾーンから第２のゾーンへアクセス制御するためのアクセス制御設備において、アクセス制御設備は、前記第１のゾーン及び前記第２のゾーンを分離する少なくとも１つの分離パネルと、開口部を開閉するために適応された少なくとも１つの移動閉鎖要素１を有する分離パネルと、開口部を通じて選択的にアクセスを防止又は許可させるために移動閉鎖要素１に適応された少なくとも１つの開閉アクチュエータ３ａ、３ｂと、前記開口アクチュエータを制御するための制御回路５と、を備える。前記設備は、前記第２のゾーンとして同一側で分離パネルに締結され、前記分離パネルの第１の表面上でのノックを検出するために適応された少なくとも１つの音センサー６と、前記第１の表面上でのノックの特定のシーケンスによって代表された所定のコードを認識し、認識された前記コードの関数として前記開閉アクチュエータを制御する前記制御回路５と、を更に備える。
2008516119.tif 000002
【特許請求の範囲】
【請求項１】
第１のゾーンから第２のゾーンへのアクセスを制御するために適応されたアクセス制御設備であって、
・  前記第１のゾーンと前記第２のゾーンとを分離し、前記第１のゾーンと同一側の第１の表面、及び前記第２のゾーンと同一側の第２の表面を有する少なくとも１つの分離パネルであって、少なくとも１つの開口部、及び該開口部を選択的に開閉するための少なくとも１つの移動閉鎖要素（１）を備えている分離パネルと、
・  前記開口部を通じて、前記閉鎖要素（１）に、選択的にアクセスを防止または許可させるために適応された少なくとも１つの開閉アクチュエータ（３ａ、３ｂ）と、
・  該開閉アクチュエータ（３ａ、３ｂ）を制御するための制御回路（５）と、
を備えたアクセス制御設備において、
・  前記第１の表面上でのノックの特定のシーケンスによって代表された所定のコードを認識し、
・  認識された前記コードの関数として前記開閉アクチュエータ（３ａ、３ｂ）を制御し、
前記制御回路（５）が認識するように適応された前記コードが、前記シーケンスの前記ノックの相対位置によって特徴付けられた複数のノックのシーケンスを備えている、
ことを特徴とするアクセス制御設備。
【請求項２】
前記制御回路（５）が、
ノックが前記分離パネルの前記第１の表面に属する少なくとも１つの所定のゾーンで発生されるとき、音センサーによって検出された信号を、検出された信号に対応する少なくとも１つの所定の信号と比較するために適応された認識手段と、
もし前記検出された信号が、前記所定の信号に十分類似しているならば、各々のノックを、前記所定のゾーンと関連付けるための手段と、
を備えていることを特徴とする請求項１に記載の設備。
【請求項３】
前記制御回路（５）が認識するように適応されたコードは、ノックのシーケンスのタイミングパターンによって特徴付けられていることを特徴とする請求項１又は請求項２に記載の設備。
【請求項４】
少なくとも１つの前記所定のゾーンの１つと見当を合わせた前記分離パネルの前記第１の表面に取り付けられた少なくとも１つのキーパッドキー（１５）の表示を更に備えていることを特徴とする請求項１から請求項３のいずれか１項に記載の設備。
【請求項５】
圧力が前記キー（１５）上に働いたときに、前記分離パネルの前記第１の表面にノックを発生させる機構装置（１４）を有する少なくとも１つのキーパッドキー（１５）を備えていることを特徴とする請求項４に記載の設備。
【請求項６】
前記開閉アクチュエータ（３ａ、３ｂ）が前記閉鎖要素（１）を開けるための補助的な開閉機構（９）を備えており、該開閉機構は手動で作動可能とされていることを特徴とする請求項１から請求項５のいずれか１項に記載の設備。
【請求項７】
前記開閉アクチュエータ（３ａ、３ｂ）及び前記制御回路（５）が単一の制御ユニットを形成していることを特徴とする請求項１から請求項６のいずれか１項に記載の設備。
【請求項８】
前記開閉アクチュエータ（３ａ、３ｂ）及び前記制御回路（５）が、前記分離パネルの前記第２の表面に締結された筐体内に収納されていることを特徴とする請求項１から請求項７のいずれか１項に記載の設備。
【請求項９】
前記音センサー（６、６ａ、６ｂ）が、筐体と前記分離パネルの前記第２の表面との間に受容されていることを特徴とする請求項８に記載の設備。
【請求項１０】
前記閉鎖要素（１）が、少なくとも１つの前記音センサー、前記開閉アクチュエータ（３ａ、３ｂ）及び前記制御回路（５）が締結される扉を備えていることを特徴とする請求項１から請求項９のいずれか１項に記載の設備。
【請求項１１】
コンセントに接続された電源供給回路を更に備えていることを特徴とする請求項１から請求項１０のいずれか１項に記載の設備。
【請求項１２】
電気化学型の電力源を有する電源供給回路を更に備えていることを特徴とする請求項１から請求項１１のいずれか１項に記載の設備。
【請求項１３】
音響制御されたアクセス制御設備のための音響制御されたアクセス制御装置であって、
・  開口部を通じて、閉鎖要素（１）に、選択的にアクセスを防止または許可させるために適応された少なくとも１つの開閉アクチュエータ（３ａ、３ｂ）と、
・  該開閉アクチュエータ（３ａ、３ｂ）を制御するための制御回路（５）と、
を備えたアクセス制御装置において、
第２のゾーンとして同一側で分離パネルに締結され、前記分離パネルの第１の表面上でのノックを検出するために適応された少なくとも１つの音センサー（６、６ａ、６ｂ）を更に備え、
前記開閉アクチュエータ（３ａ、３ｂ）及び前記制御回路（５）が単一の制御ユニットを形成しており、
前記制御回路（５）は、
・  前記第１の表面でのノックの特定のシーケンスによって代表された所定のコードを認識し、
・  認識された前記コードの関数として前記開閉アクチュエータ（３ａ、３ｂ）を制御し、
前記制御回路（５）が認識するように適応された前記コードが、前記シーケンスの前記ノックの相対的位置によって特徴付けられた複数のノックのシーケンスを備えている、
ことを特徴とするアクセス制御装置。
【請求項１４】
前記制御回路（５）が、
ノックが前記分離パネルの前記第１の表面に属する少なくとも１つの所定のゾーンで発生されるとき、音センサーによって検出された信号を、検出された信号に対応する少なくとも１つの所定の信号と比較するために適応された認識手段と、
もし前記検出された信号が、前記規定の信号に十分類似しているならば、各々のノックを、前記所定のゾーンと関連付けるための手段と、
を備えていることを特徴とする請求項１３に記載の装置。
【請求項１５】
前記制御回路（５）が認識するように適応されたコードは、ノックのシーケンスのタイミングパターンによって特徴付けられていることを特徴とする請求項１３又は請求項１４に記載の装置。
【請求項１６】
前記分離パネルの前記第１の表面に取り付けられた少なくとも１つのキーパッドのキー（１５）の表示を更に備えていることを特徴とする請求項１３から請求項１５のいずれか１項に記載の装置。
【請求項１７】
圧力が前記キー上に働いたときにノックを発生させる機構装置（１４）を有する少なくとも１つのキーパッドキー（１５）を備えていることを特徴とする請求項１３から請求項１６のいずれか１項に記載の装置。
【請求項１８】
前記開閉アクチュエータ（３ａ、３ｂ）が補助的な開閉機構（９）を備えており、該開閉機構は手動で作動可能とされていることを特徴とする請求項１３から請求項１７のいずれか１項に記載の装置。
【請求項１９】
前記開閉アクチュエータ（３ａ、３ｂ）及び前記制御回路（５）が表面に締結するように適応された筐体内に収容されていることを特徴とする請求項１３から請求項１８のいずれか１項に記載の装置。
【請求項２０】
前記音センサー（６、６ａ、６ｂ）が筐体に締結されていることを特徴とする請求項１９に記載の装置。
【請求項２１】
コンセントに接続された電源供給回路を更に備えていることを特徴とする請求項１３から請求項２０のいずれか１項に記載の装置。
【請求項２２】
電気化学型の電力源を有する電源供給回路を更に備えていることを特徴とする請求項１３から請求項２１のいずれか１項に記載の装置。
【発明の詳細な説明】
【技術分野】
【０００１】
本発明は、音響制御されたアクセス制御設備及びそのような設備のためのアクセス制御装置に関する。
【０００２】
より具体的には、本発明は、第１のゾーンから第２のゾーンへのアクセス制御するために適応されたアクセス制御設備に関する。
このような設備は、
・  前記第１のゾーンと前記第２のゾーンとを分離し、前記第１のゾーンと同一側の第１の表面、及び前記第２のゾーンと同一側の第２の表面を有する少なくとも１つの分離パネルであって、少なくとも１つの開口部、及び該開口部を選択的に開閉するための少なくとも１つの移動閉鎖要素を備えている分離パネルと、
・  前記開口部を通じて、前記閉鎖要素に、選択的にアクセスを防止または許可させるために適応された少なくとも１つの開閉アクチュエータ（opening actuator）と、
・  該開閉アクチュエータを制御するための制御回路と、
を備えている。
【背景技術】
【０００３】
この種の設備、例えばドアにおけるアクセス制御は公知である。そのような設備は壁に内蔵されたキーパッドを備えており、コードを入力することが可能である。入力されたコードが有効であるとき、例えば電気的なボルトのようなドアの開閉アクチュエータが操作され、それによってドアが開錠される。
【発明の開示】
【発明が解決しようとする課題】
【０００４】
一般的に、そのような設備を導入する際には、キーパッドを受容するために及び／又はキーパッドに接続されたケーブルを通すための分離パネル（例として、壁の中に）に収容されるべき空間（space to be dug out）を必要とする。このことは、設備の導入を困難とし、分離パネルの全体的な外観を損なうものである。
【０００５】
加えて、外側からアクセス可能なキーパッドを取り外すことによって外側からシステムを改ざんすることを可能にさせる。同様に、そのような設備は破壊される可能性がある。
【課題を解決するための手段】
【０００６】
本発明における特定の目的は、それらの欠点を緩和することである。
【０００７】
この目的を達成するため、本発明によれば、問題になっているこの種のアクセス制御設備は、第２のゾーンとして同一側で分離パネルに締結され、前記分離パネルの第１の表面上でのノック（knocks）を検出するために適応された少なくとも１つの音センサーを更に備え、
前記制御回路は、
・  第１の表面でのノックの特定のシーケンスによって代表された所定のコードを認識し（このシーケンスは、任意的に所定の位置で単一のノック、または、例えば絶対的なもしくは相対的な位置によって、及び／又はタイミングパターンによって特徴付けられた連続するノックを有していても良い。）、
・  認識されたコードの関数として、開閉アクチュエータを制御している。
【０００８】
それらの対策によって、設備の導入が簡単となり、安全性は改善される。加えて、分離パネル（例えば壁やドア）の外観は、第１のゾーンでは実質的に変更されていない
【０００９】
本発明の設備の実施形態において、実施は、任意的に以下の項目の１つ以上によって為されるであろう。
・  制御回路は、ノックが前記分離パネルの前記第１の表面に属する少なくとも１つの所定のゾーンで発生されるとき、音センサーによって検出された信号を、検出された信号に対応する少なくとも１つの所定の信号と比較するために適応された認識手段と、もし前記検出された信号が、前記規定の信号に十分類似しているならば、各々のノックを、前記所定のゾーンと関連付けるための手段と、を備える。
・  制御回路が認識するように適応されたコードは、第１の表面での位置によって特徴付けられたノックによって構成される。
・  制御回路が認識させるために適応されたコードは、以下の少なくとも１つの特徴によって特徴付けられる複数のノックのシーケンスによって構成されている。
以下の特徴とは、シーケンスのノックの絶対位置、シーケンスのノックの相対位置、及びノックのシーケンスのタイミングパターンである。
・  設備は、前記所定のゾーンの１つと見当を合わせた（in register with）前記分離パネルの前記第１の表面に取り付けられた少なくとも１つのキーパッドキーの表示を備える。
・  設備は、さらに、圧力が前記キー上に働いたときに、前記第１の表面にノックを発生させる機構装置を有する少なくとも１つのキーパッドキーを備える。
・  前記開閉アクチュエータが前記閉鎖要素を開けるための補助的な開閉機構（auxiliary opening mechanism）を備えており、該開閉機構は手動で作動可能とされる。
・  前記制御回路及び前記開閉アクチュエータは、単一の制御ユニットを形成する。
・  前記開閉アクチュエータ及び前記制御回路は、前記分離パネルの前記第２の表面に締結された共通の筐体内に収容される。
・  前記音センサーは、筐体と分離パネルの第２の表面との間に受容される。
・  閉鎖要素は、少なくとも１つの前記音センサー、前記開閉アクチュエータ及び制御回路が締結される扉を備える。
・  設備は、コンセント（mains）に接続された電源供給回路を更に備える。
・  設備は、電気化学型（electrochemical type）の電力源（electricity source）を有する電源供給回路を更に備える。
【００１０】
さらに、本発明は、音響制御されたアクセス制御設備のための音響制御されたアクセス制御装置に関する。
かかる装置は、
・  少なくとも１つの開閉アクチュエータと、
・  該開閉アクチュエータを制御するために制御回路と、を備えたアクセス制御装置であって、
音波を検出するために適応された少なくとも１つの音センサーを更に備え、
前記開閉アクチュエータ及び前記制御回路が単一の制御ユニットを形成しており、
前記制御回路は、
・  音波（このシーケンスは任意的に、所定の発生源を備えた単一の音波、または、例えば発生源の絶対的なもしくは相対的な位置によって、及び／又はタイミングパターンによって特徴付けられた連続する音波を有していても良い。）の特定のシーケンスによって代表された所定のコードを認識し、
・  認識されたコードの関数として開閉アクチュエータを制御する。
【００１１】
本発明装置の実施形態において、実施は、任意的に以下の項目の１つ以上によって為されるであろう。
・  音センサーがノック形式の音波を検出するために適応される。
・  制御回路が、ノックが少なくとも１つの所定のゾーンで発生されるとき、音センサーによって検出された信号を、検出された信号に対応する少なくとも１つの所定の信号と比較するために適応された認識手段と、
もし前記検出された信号が、前記所定の信号に十分類似しているならば、各々のノックを、前記所定のゾーンと関連付けるための手段と、を備える。
・  制御回路が認識するように適応されたコードは、その位置によって特徴付けられるノックによって構成される。
・  制御回路が認識するように適応されたコードは、以下の少なくとも１つの特徴によって特徴付けられた複数のノックのシーケンスによって構成される。
以下の特徴とは、シーケンスのノックの絶対位置、シーケンスのノックの相対位置、及びノックのシーケンスのタイミングパターンである。
・  前記装置は、少なくとも１つのキーパッドのキーの表示を更に備える。
・  前記装置は、圧力が前記キー上に働いたときにノックを発生させる機構装置を有する少なくとも１つのキーパッドキーを更に備える。
・  前記開閉アクチュエータが補助的な開閉機構を備えており、該開閉機構は手動で作動可能とされる。
・  前記開閉アクチュエータ及び前記制御回路は、共通の筐体に収納される。
・  音センサーは、筐体に締結される。
・  前記装置は、コンセントに接続された電源供給回路を更に備える。
・  前記装置は、電気化学型の電力源を有する電力供給回路を更に備える。
【００１２】
本発明の他の特徴及び利点は、限定目的でない実施例、及び添付された図面を参照することによって、後述される実施形態の詳細な説明から明らかとなるであろう。
【発明を実施するための最良の形態】
【００１３】
種々の図において、類似の参照符号は、同一もしくは類似の要素を表している。
【００１４】
図１は、例えばドアのような移動閉鎖要素（moving closure element）１、及び任意的に、閉鎖要素１が閉じるのに対する追加の静止閉鎖要素（stationary complementary closure element）２を有する分離パネルに締結された、音響制御されたアクセス制御装置である。閉鎖要素１は、「外側」である第１のゾーンから「内側」である第２のゾーンへのアクセスを防止している。前記装置は、例えば対応するラッチ装置３ｂに施錠されている電気的なボルトといった、ラッチ装置のような施錠システムのごとき開閉アクチュエータ３ａを備えている。
【００１５】
任意的に開閉アクチュエータは、例として、油圧アクチュエータ又は電気アクチュエータによって、閉鎖要素１を移動するように適応されている。
【００１６】
アクチュエータ３ａは、駆動回路４を通じて、制御回路５によって制御され得る。加えて、制御回路５は、分離パネル、及び任意的に例えば内側の前記要素の表面のような閉鎖要素１に固定された音センサー６に接続され得る。
【００１７】
音センサー６は、例えば前記パネルの外側表面のような分離パネル上に発生されたノックを検出することを可能にしている。音センサー６によって検出された信号は制御回路５に送信され、この制御回路５は、分離パネルの外側ゾーンの表面上でのノック地点を特定するために、検出された信号を所定の信号と比較している。例えば、もし全てのノック地点の位置によって構成されたコードが有効であると認識されたならば、制御回路５は開閉アクチュエータ３ａを作動させるために駆動回路４に開錠命令を与える。
【００１８】
制御回路５、駆動回路４及び開閉アクチュエータ３ａは、共通の単一制御ユニットに包含されても良く、特に図２に示すような単一の筐体内に収容されていて良い。この筐体は、特に、装置電源として（再充電可能なものであっても、そうでないものであっても構わない）バッテリーを内蔵することを可能にさせる開口部７を備えている。分離パネルに筐体を締結するために、ねじ穴（８ａ、８ｂ、８ｃ、８ｄ）が形成されている。加えて、例えばバレル状の係止部（lock）９のような補助開口装置９が、装置の故障又は緊急時に、ドアを開錠するために設けられている。音センサー６ａ及び音センサー６ｂは筐体に接続されていると共に、その内側にある分離パネルに締結されている。
【００１９】
この装置は、補助開口装置９を通過させるための穴と、締結するための４つのねじのみを必要とする。それゆえに、このような装置の取り付けが単純化されている。音センサー６ａ及び音センサー６ｂを離して配置する代わりに、図３に示すように筐体にセンサーを締結することも可能である。
【００２０】
図３に示す例において、例えば、筐体は長方形のブロック形状であり、分離パネルとの接触面には、対角線上の対向している角部のそれぞれにセンサー６ａ及びセンサー６ｂが設けられており、任意的に前記接触面には、対角線上の対向している残りの２つの角部のそれぞれに、ねじのための２つの穴８ａ及び８ｂが形成されている。センサー６ａ及びセンサー６ｂと分離パネルの内側表面との間の接触を確立させるために、両面接着テープによって音センサー６ａ及び音センサー６ｂを接着することができる。
【００２１】
任意的に、厚く弾力性のある両面接着テープは筐体上に置かれ、センサー６は前記接着テープに接着される。両面接着テープの厚さは、センサー６が分離パネルに対して圧縮状態で保持されるような厚さである。センサー６と分離パネルの内部表面との間により良い接触を確立するために、分離パネルの表面とセンサー６との間に配置した薄い第２の接着テープによって前記センサーを接着させることは可能である。前記薄い接着テープは、例えばエポキシ樹脂型又はシリコン型の接着剤によって構成され得る。
【００２２】
この実施形態は、さらに設備を単純化する。加えて、この実施形態は、音センサー６ａ及び６ｂの汚損の可能性を低下する。そして、この実施形態は、ドアの外観を損なわないようにすることも可能である、というのも、筐体への締結箇所が少ないからである。
【００２３】
特定の実施形態において、図４に示すキーパッド１１は、任意的に分離パネルの外側表面に固定され得る。このキーパッド１１は、任意的に異なった英数字文字によって区別された所定の数のキー１５を有していても良い。そのようなキーは、分離パネルの外側表面に接着されたキーパッドを表示するものに過ぎない。図５に示すように、弾性材料及び任意的に成型されたゴム材料で作られた底面薄膜部１３及び表面薄膜部１２を有するキーパッド１１を使用することも可能である。キーパッドのキー１５のそれぞれの下に、例えば金属性のつめ部材（metal clicker）のような機構装置１４を設けても良い。
【００２４】
機構装置１４は、圧力がキーパッド１１のキーに働くとき、前記機構装置が分離パネルの外側表面上でノックを引き起こすように構成されている。
【００２５】
そのようなキーパッドは、キーが作動されるたびにほぼ同一のノックを引き起こし、それにより、当該ノックと所定の信号との比較を容易にしている。
【００２６】
他の実施形態においては、キーパッドの表示は、分離パネルの外部表面に全く取り付けられていない。
【００２７】
一の実施形態において、所定の有効なゾーンは、マークされない設定位置内とされ得る。使用者は、例えば所定のタイミングパターン、言い換えれば所定の順序及び／または所定のリズムを伴って前記ゾーンを有効化するために、分離パネル上の装飾の機能として、前記所定のゾーンを発見する場所を知っていなければならない。
【００２８】
別な実施形態において、キーパッドはマークされておらず、ドア上では接待されたやり方で定義されてはいない。それゆえ、コードを決定するのは、互いに対するノックの相対位置及びノックのタイミングパターンである。
【００２９】
装置を初期化するために、又は実際はコードを調整するために、例えば、制御回路が特定のシーケンスのノックを検出するとき、又は任意的に機器の電源が投入されたとき、制御回路を初期化モードに入らせるための規定を作成しても良い。一旦初期化モードに入ると、任意的にキーパッド上で、一致したコードを入力すれば十分である。加えて、筐体は任意的に、設定目的のためにインターフェースを形成する画面を有している。
【００３０】
装置には、周囲の電力網によって電源が供給され、任意的に停電中であっても動作可能なバッテリーを備えている。
【図面の簡単な説明】
【００３１】
【図１】本発明の装置のブロック図である。
【図２】図１に示した装置の第１の実施形態を示す図である。
【図３】図１に示した装置の第２の実施形態を示す図である。
【図４】本発明の実施形態で使用したキーパッドの全体図である。
【図５】図４のキーパッドの断面図である
【符号の説明】
【００３２】
１  移動閉鎖要素
２  静止閉鎖要素
３ａ  開閉アクチュエータ
３ｂ  ラッチ装置
４  駆動回路
５  制御回路
６  音センサー
６ａ  音センサー
６ｂ  音センサー
７  開口部
８ａ  ねじ穴
８ｂ  ねじ穴
８ｃ  ねじ穴
８ｄ  ねじ穴
９  補助開口装置
１１  キーパッド
１２  表面薄膜部
１３  底面薄膜部
１４  機構装置
１５  キー
【図１】
2008516119.tif 000003
【図２】
2008516119.tif 000004
【図３】
2008516119.tif 000005
【図４】
2008516119.tif 000006
【図５】
2008516119.tif 000007
【国際調査報告】
2008516119.tif 000008
2008516119.tif 000009
2008516119.tif 000010